(57)【要約】【課題】多層光記録媒体の製造コストを大幅に低減可能にする。【解決手段】複数の情報記録層を有する多層光記録媒体１において、少なくとも２層の情報記録層における媒体側アドレス情報を一致させたことを特徴とする。本構造によって、マスタスタンパの種類を減少させることが可能となり、製造コストが低減される。【選択図】図４
2009134784.tif 000002
【特許請求の範囲】
【請求項１】
複数の情報記録層を有する多層光記録媒体であって、少なくとも２層の前記情報記録層における媒体側アドレス情報が一致していることを特徴とする多層光記録媒体。
【請求項２】
前記媒体側アドレス情報が一致する少なくとも２層の前記情報記録層は、相互に異なる光反射特性となる判別領域を少なくとも一部に有することで、層位置を同定できるように構成されることを特徴とする請求項１記載の多層光記録媒体。
【請求項３】
前記媒体側アドレス情報が一致する少なくとも２層の前記情報記録層には、層位置を同定するための識別信号が記録されていることを特徴とする請求項１又は２記載の多層光記録媒体。
【請求項４】
前記媒体側アドレス情報が一致する少なくとも２層の前記情報記録層は、相互に異なる記録特性を有しており、前記記録特性から層位置を同定できるように構成されることを特徴とする請求項１、２又は３記載の多層光記録媒体。
【請求項５】
前記媒体側アドレス情報が一致する少なくとも２層の前記情報記録層は、相互に異なる光反射率に設定されることで、層位置を同定できるように構成されることを特徴とする請求項１乃至４のいずれか記載の多層光記録媒体。
【請求項６】
前記媒体側アドレス情報が一致する少なくとも２層の前記情報記録層の間に、前記少なくとも２層の前記情報記録層と比較して前記媒体側アドレス情報の異なる前記情報記録層が介在することを特徴とする請求項１乃至５のいずれか記載の多層光記録媒体。
【請求項７】
第１媒体側アドレス情報を共通して有する第１情報記録層群と、前記第１媒体側アドレス情報とは異なる第２媒体側アドレス情報を共通して有する第２情報記録層群とを備え、前記第１情報記録層群と前記第２情報記録層群の情報記録層が交互に積層されることを特徴とする請求項１乃至６のいずれか記載の多層光記録媒体。
【請求項８】
媒体側アドレス情報が一致している少なくとも２層の情報記録層を有する多層光記録媒体に対してレーザー光を照射し、前記情報記録層の光反射特性の相違から層位置を同定することを特徴とする光記録再生方法。
【請求項９】
前記情報記録層にフォーカスを掛けた際の反射光の迷光の相違から、前記情報記録層の層位置を同定することを特徴とする請求項８記載の光記録再生方法。
【請求項１０】
前記情報記録層にフォーカスを掛けた際の反射率の相違から、前記情報記録層の層位置を同定することを特徴とする請求項８又は９記載の光記録再生方法。
【請求項１１】
媒体側アドレス情報が一致している少なくとも２層の情報記録層を有する多層光記録媒体に対してレーザー光を照射し、フォーカスを積層方向に移動させることで前記情報記録層を横切った数に基づいて、前記情報記録層の層位置を同定することを特徴とする光記録再生方法。
【請求項１２】
媒体側アドレス情報が一致している少なくとも２層の情報記録層を有する多層光記録媒体に対してレーザー光を照射し、前記情報記録層に記録されている識別信号を再生して、該情報記録層の層位置を同定することを特徴とする光記録再生方法。
【請求項１３】
媒体側アドレス情報が一致している少なくとも２層の情報記録層を有する多層光記録媒体の前記情報記録層に対してフォーカスを掛け、球面収差の補正量から層位置を同定することを特徴とする光記録再生方法。
【請求項１４】
媒体側アドレス情報が一致している少なくとも２層の情報記録層の間に、該２層の情報記録層とスパイラル方向が異なる情報記録層を有する多層光記録媒体に対してレーザー光を照射し、光ピックアップのトラッキング制御値から前記情報記録層の前記スパイラル方向を検出して、前記情報記録層の層位置を同定することを特徴とする光記録再生方法。
【請求項１５】
媒体側アドレス情報が一致している少なくとも２層の情報記録層を有する多層光記録媒体に対してレーザー光を照射し、前記情報記録層に対する情報の記録条件に基づいて層位置を同定することを特徴とする光記録再生方法。
【請求項１６】
媒体側アドレス情報が一致している少なくとも２層の情報記録層を有する多層光記録媒体に対してレーザー光を照射して情報を記録する際に、記録信号の記録先となる前記媒体側アドレスと、前記記録信号が有する情報側アドレスを異ならせることを特徴とする光記録再生方法。
【発明の詳細な説明】
【技術分野】
【０００１】
本発明は、情報記録層を多層に備える多層光記録媒体、及びこの多層光記録媒体にレーザー光の照射して記録再生を行う記録再生方法に関する。
【背景技術】
【０００２】
従来、ディジタル動画コンテンツの視聴や、ディジタルデータの記録のために、ＣＤ−ＤＡ、ＣＤ−ＲＯＭ、ＣＤ−Ｒ、ＣＤ−ＲＷ、ＤＶＤ−ＲＯＭ、ＤＶＤ−Ｒ、ＤＶＤ＋／−ＲＷ、ＤＶＤ−ＲＡＭなどの光記録媒体が広く利用されている。一方、この種の光記録媒体に要求される記録容量は年々増大してきており、その要求に対応する為に、大容量の動画やデータを収録できる、いわゆる次世代型光ディスクの商品化が始まっている。次世代型光ディスクは、記録再生に用いるレーザー光の波長を４０５ｎｍと短くすることで記録容量の増大を図っている。例えば、次世代型ＤＶＤ規格の一つであるＢｌｕ−ｒａｙ  Ｄｉｓｃ（ＢＤ）規格では、対物レンズの開口数を０．８５に設定することで、１つの記録層に対して２５ＧＢもの記録再生を可能にしている。
【０００３】
ところで、動画やデータの容量は今後益々増大することが予想されている。従って、光記録媒体における情報記録層を多層化することで光記録媒体の容量を増大させる方法が検討されている。
【特許文献１】特開２００３−３４６３７９号公報
【発明の開示】
【発明が解決しようとする課題】
【０００４】
光記録媒体の情報記録層のグルーブには、記録・再生箇所を判断するためのアドレス情報（以下、媒体側アドレス情報という）が割り振られている。媒体側アドレス情報を割り振る方法として、グルーブのウォブル周波数を変調して信号を入れたり、ピット形状を変化させて信号を入れたりする方法が知られている。この媒体側アドレス情報は、光記録媒体を作製する為のスタンパに予め刻み込まれている。スタンパは、この媒体側アドレス情報を、光記録媒体の基盤又はスペーサー層に転写することで光記録媒体に媒体側アドレス情報を付与する。
【０００５】
光記録媒体では、情報記録層の全域に対して異なるアドレスが割り振らなければならない。従って、多層光記録媒体でも同様に、全ての情報記録層に対して異なる媒体側アドレスを割り振っている。
【０００６】
しかし、多層光記録媒体の全情報記録層に異なる媒体側アドレスを付与するには、各情報記録層に対応した専用スタンパを用意する必要がある。例えば、４層の多層光記録媒体を製造するためには、媒体側アドレス情報が異なる４種類のスタンパを用意して、各情報記録層に独立した媒体側アドレスを転写しなければならない。
【０００７】
スタンパを作製するには、マスタリングと呼ばれる工程にて、フォトレジストを塗布した原盤を回転させながらレーザーを照射して、媒体側アドレス情報をレジストに書き込み、露光・現像する。この後、メッキ処理及びこのメッキの剥離工程によってマスタスタンパを作製し、チャイルドスタンパを含む様々な検査工程を経て、そのマスタスタンパの合否判定を行う。
【０００８】
従って、多層光記録媒体の全ての情報記録層に対して、このマスタスタンパを製造しようとすると、多額の費用を要するという問題があった。
【０００９】
更に、多層光記録媒体の基本仕様が変わると、全て情報記録層も仕様変更となるため、全てのスタンパを再製造する必要があり、仕様変更に数カ月もの長期間を要するという問題があった。多層光記録媒体の製造工程においても、全てのスタンパを交換する必要性が生じるため、製造ラインの稼働率が低下しやすいという問題があった。
【００１０】
更に、このように多品種の多層光記録媒体を量産しようとすると、ストックされるスタンパの種類・数が膨大になり、スタンパ自体の管理が複雑化するという問題もあった。
【００１１】
本発明は、このような事情に鑑みてなされたものであり、低コストで量産できると共に仕様変更等に素早く対応可能な多層光記録媒体を提供し、また、この多層光記録媒体に適した光記録再生方法を提供することを目的としている。
【課題を解決するための手段】
【００１２】
本発明者らの鋭意研究により、上記目的は以下の手段によって達成されるものである。
【００１３】
（１）複数の情報記録層を有する多層光記録媒体であって、少なくとも２層の前記情報記録層における媒体側アドレス情報が一致していることを特徴とする多層光記録媒体。
【００１４】
（２）前記媒体側アドレス情報が一致する少なくとも２層の前記情報記録層は、相互に異なる光反射特性となる判別領域を少なくとも一部に有することで、層位置を同定できるように構成されることを特徴とする上記（１）記載の多層光記録媒体。
【００１５】
（３）前記媒体側アドレス情報が一致する少なくとも２層の前記情報記録層には、層位置を同定するための識別信号が記録されていることを特徴とする上記（１）又は（２）記載の多層光記録媒体。
【００１６】
（４）前記媒体側アドレス情報が一致する少なくとも２層の前記情報記録層は、相互に異なる記録特性を有しており、前記記録特性から層位置を同定できるように構成されることを特徴とする上記（１）、（２）又は（３）記載の多層光記録媒体。
【００１７】
（５）前記媒体側アドレス情報が一致する少なくとも２層の前記情報記録層は、相互に異なる光反射率に設定されることで、層位置を同定できるように構成されることを特徴とする上記（１）乃至（４）のいずれか記載の多層光記録媒体。
【００１８】
（６）前記媒体側アドレス情報が一致する少なくとも２層の前記情報記録層の間に、前記少なくとも２層の前記情報記録層と比較して前記媒体側アドレス情報の異なる前記情報記録層が介在することを特徴とする上記（１）乃至（５）のいずれか記載の多層光記録媒体。
【００１９】
（７）第１媒体側アドレス情報を共通して有する第１情報記録層群と、前記第１媒体側アドレス情報とは異なる第２媒体側アドレス情報を共通して有する第２情報記録層群とを備え、前記第１情報記録層群と前記第２情報記録層群の情報記録層が交互に積層されることを特徴とする上記（１）乃至（６）のいずれか記載の多層光記録媒体。
【００２０】
（８）媒体側アドレス情報が一致している少なくとも２層の情報記録層を有する多層光記録媒体に対してレーザー光を照射し、前記情報記録層の光反射特性の相違から層位置を同定することを特徴とする光記録再生方法。
【００２１】
（９）前記情報記録層にフォーカスを掛けた際の反射光の迷光の相違から、前記情報記録層の層位置を同定することを特徴とする上記（８）記載の光記録再生方法。
【００２２】
（１０）前記情報記録層にフォーカスを掛けた際の反射率の相違から、前記情報記録層の層位置を同定することを特徴とする上記（８）又は（９）記載の光記録再生方法。
【００２３】
（１１）媒体側アドレス情報が一致している少なくとも２層の情報記録層を有する多層光記録媒体に対してレーザー光を照射し、フォーカスを積層方向に移動させることで前記情報記録層を横切った数に基づいて、前記情報記録層の層位置を同定することを特徴とする光記録再生方法。
【００２４】
（１２）媒体側アドレス情報が一致している少なくとも２層の情報記録層を有する多層光記録媒体に対してレーザー光を照射し、前記情報記録層に記録されている識別信号を再生して、該情報記録層の層位置を同定することを特徴とする光記録再生方法。
【００２５】
（１３）媒体側アドレス情報が一致している少なくとも２層の情報記録層を有する多層光記録媒体の前記情報記録層に対してフォーカスを掛け、球面収差の補正量から層位置を同定することを特徴とする光記録再生方法。
【００２６】
（１４）媒体側アドレス情報が一致している少なくとも２層の情報記録層の間に、該２層の情報記録層とスパイラル方向が異なる情報記録層を有する多層光記録媒体に対してレーザー光を照射し、光ピックアップのトラッキング制御値から前記情報記録層の前記スパイラル方向を検出して、前記情報記録層の層位置を同定することを特徴とする光記録再生方法。
【００２７】
（１５）媒体側アドレス情報が一致している少なくとも２層の情報記録層を有する多層光記録媒体に対してレーザー光を照射し、前記情報記録層に対する情報の記録条件に基づいて層位置を同定することを特徴とする光記録再生方法。
【００２８】
（１６）媒体側アドレス情報が一致している少なくとも２層の情報記録層を有する多層光記録媒体に対してレーザー光を照射して情報を記録する際に、記録信号の記録先となる前記媒体側アドレスと、前記記録信号が有する情報側アドレスを異ならせることを特徴とする光記録再生方法。
【発明の効果】
【００２９】
光記録媒体が、同じ媒体側アドレス情報を持つ情報記録層を多層に備えるので、マスタスタンパを共有化することで、マスタスタンパの種類を低減することができ、製造コストを低減させることができる。なお、マスタスタンパの共有化により、このマスタスタンパから作られる各スタンパの検査工程も容易化される。例えば、マスタスタンパから作られるマザースタンパや、マザースタンパから作られるチャイルドスタンパの作成費用も僅かで済むようになる。また、媒体側アドレス情報を同じにすることで、多層光記録媒体の全体における媒体側アドレス情報の管理が簡便になり、媒体アドレス情報が同じになるマザースタンパやチャイルドスタンパを適宜組み合わせて製造することが可能となる。
【発明を実施するための最良の形態】
【００３０】
以下、図面を参照しながら本発明の実施の形態について詳細に説明する。
【００３１】
図１には、本発明の第１実施形態に係る多層光記録媒体１、及び、この多層光記録媒体１に情報を記録再生する光記録再生システム１００の構成が示されている。この光記録再生システム１００は、再生に利用するレーザー光Ｚを発生させるレーザー光源１０２、レーザー光源１０２を制御するレーザーコントローラ１０４、レーザー光Ｚを多層光記録媒体１に導く光学機構１０６、レーザー光Ｚの反射光を検出する光検出装置１０８、この光検出装置１０８の検出情報を復号する復号処理装置１１０、層位置判定部１１１、多層光記録媒体１を回転させるスピンドルモータ１１２、スピンドルモータ１１２を回転制御するスピンドルドライバ１１４、光検出装置１０８から送信された電気信号に基づいてフォーカスエラー（ＦＥ）を検出し、このフォーカスエラー信号を利用してレンズ駆動コイル１０６Ｂをフォーカス方向（光軸方向）に駆動制御するフォーカスコントローラ１１３、光検出装置１０８から送信された電気信号に基づいてトラッキング誤差を検出し、このトラッキング誤差を利用してレンズ駆動コイル１０６Ｂをトラッキング方向に駆動制御するトラッキングコントローラ１１５、特に図示しないＣＰＵ（中央演算装置）との間で復号後の再生データのやり取りを行う信号処理装置１１６を備える。
【００３２】
レーザー光源１０２は半導体レーザーであり、レーザーコントローラ１０４によって制御されて所定パワー及び波形のレーザー光Ｚを発生させる。光学機構１０６は、対物レンズ１０６Ａや偏光ビームスプリッタを備え、レーザー光Ｚの焦点を情報記録層に適宜合わせることが可能となっている。また、この光学機構１０６は、球面収差の補正量を各情報記録層で変化させるためのエキスパンダーレンズも備えている。なお、偏光ビームスプリッタは、情報記録層の反射光を取り出して光検出装置１０８に導く。
【００３３】
光検出装置１０８はフォトディテクタであり、レーザー光Ｚの反射光を受光して電気信号に変換し、再生信号としてＰＲＭＬ処理装置１１０に出力する。ＰＲＭＬ処理装置１１０では、この再生信号を復号化し、復号化された２値の識別信号を信号処理装置１１６に出力する。
【００３４】
層位置判定部１１１は、光検出装置１０８等の情報に基づいて、記録・再生を行っている情報記録層の位置を判定し、その結果を情報処理装置１１６に出力するようになっている。
【００３５】
更にこの光記録再生システム１００では、レーザー光Ｚの波長λが４００〜４１０ｎｍに設定されている。また、光学機構１０６における対物レンズ１０６Ａの開口数ＮＡは０．８４〜０．８６に設定されている。詳細に、レーザー光Ｚの波長λは４０５ｎｍ、対物レンズ１０６Ａの開口数ＮＡは０．８５に設定されている。また、この光再生系のクロック周波数ｆは、６６ＭＨｚに設定されている。スピンドルドライバ１１４によって回転制御される多層光記録媒体１の回転数は、０〜１００００ｒｐｍの範囲内で自在に制御できるようになっている。
【００３６】
多層光記録媒体１の情報再生を開始するには、所定の再生パワーによってレーザー光源１０２からレーザー光Ｚを発生させ、このレーザー光Ｚを多層光記録媒体１の情報記録層に照射して再生を開始する。レーザー光Ｚは情報記録層で反射されて、光学機構１０６を介して取り出されて光検出装置１０８で実際の再生信号となる。
【００３７】
図２（Ａ）には、多層光記録媒体１の全体構成が示されている。この多層光記録媒体１は外形が約１２０ｍｍ、厚みが約１．２ｍｍとなる円盤状の媒体である。図２（Ｂ）に拡大して示されるように、多層光記録媒体１は、基板１０と、Ｌ０情報記録層２０と、Ｌ１スペーサー層３０と、Ｌ１情報記録層２２と、Ｌ２スペーサー層３２と、Ｌ２情報記録層２４と、Ｌ３スペーサー層３４と、Ｌ３情報記録層２６と、カバー層３６と、ハードコート層３８がこの順に積層されている。従ってこの多層光記録媒体１は、情報記録層が４層構造となっている。
【００３８】
これらのＬ０〜Ｌ３情報記録層２０、２２、２４、２６はデータを保持する層である。データの保持形態としては、予めデータが書き込まれており書換が不能な再生専用型や、利用者による書き込みが可能な記録型があり、ここでは記録型を採用している。データの保持形態が記録型の場合、詳細には、一度データを書き込んだエリアに再度データの書き込みが出来ない追記型と、データを書き込んだエリアに対してデータを消去し、再度書き込みが可能な書換型があるが、本実施形態では追記型を例示している。なお、Ｌ０〜Ｌ３情報記録層２０、２２、２４、２６において、データの保持形態を互いに異ならせることも可能である。
【００３９】
Ｌ１〜Ｌ３スペーサー層３０、３２、３４、カバー層３６及びハードコート層３８は、全て光透過性を有しており、外部から入射されるレーザー光を透過するようになっている。この結果、ハードコート層３８の光入射面３８Ａから入射されるレーザー光Ｚを用いれば、Ｌ０〜Ｌ３情報記録層２０、２２、２４、２６に対する情報の記録・再生が可能となる。なお、Ｌ３情報記録層２６は、多層光記録媒体１の光入射面３８Ａに近い側の情報記録層となり、Ｌ０情報記録層２０は、光入射面３８Ａから遠い側の情報記録層となる。本実施形態では、各情報記録層２０、２２の記録容量が２５ＧＢとなる場合を例示している。なお、情報記録層毎に記録容量を異ならせることも可能であり、また、記録容量は２５ＧＢ以外にも自在に設定することができる。
【００４０】
図３に更に拡大して示されるように、基板１０は、厚さ約１１００μｍとなる円盤状の部材であり、その素材として例えば、ガラス、セラミックス、樹脂等の種々の材料を用いることができる。ここではポリカーボネート樹脂を用いている。なお、樹脂としてはポリカーボネート樹脂以外にも、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等を採用することも出来る。中でも加工や成型の容易性から、ポリカーボネート樹脂やオレフィン樹脂が好ましい。また、基板１０における情報記録層側の面には、用途に応じて、グルーブ、ランド、ピット列等が形成される。
【００４１】
Ｌ０情報記録層２０は、基板側から順に、膜厚１００ｎｍのＡｇＰｄＣｕ層（Ａｇ：Ｐｄ：Ｃｕモル比＝９８：１：１）、膜厚４０ｎｍのＺｎＳ・ＳｉＯ２層（ＺｎＳ：ＳｉＯ２モル比＝８０：２０）、膜厚６ｎｍのＣｕ層、膜厚６ｎｍのＳｉ層、膜厚４０ｎｍＺｎＳ・ＳｉＯ２層から構成されている。ここで、Ｃｕ層及びＳｉ層は、無機反応膜として機能し、レーザー光Ｚの熱により溶融・混合されることで光反射率が異なるようになっている。
【００４２】
Ｌ１スペーサー層３０は、Ｌ０情報記録層２０とＬ１情報記録層２２の間に積層されており、これらの間を離間させる機能を有する。Ｌ１スペーサー層３０の光入射面３８Ａ側表面には、グルーブ（ランド）、ピット列等が形成される。このグルーブには、媒体側アドレス情報が含まれるようになっている。スペーサー層３０の材料は様々なものを用いることが出来るが、既に述べたように、レーザー光Ｚを透過させる為に光透過性材料を用いる必要がある。例えば、紫外線硬化性アクリル樹脂を用いることも好ましい。なお、Ｌ１スペーサー層３０の厚みは１７μｍに設定される。
【００４３】
Ｌ１情報記録層２２は、基板側から順に、膜厚１０ｎｍのＴｉＯ２層、膜厚３４ｎｍのＢｉ−Ｇｅ−Ｏ層（Ｂｉ：Ｇｅ：Ｏモル比＝２８：２：７０）、膜厚１０ｎｍのＴｉＯ２層から構成される。
【００４４】
Ｌ２スペーサー層３２は、Ｌ１情報記録層２２とＬ２情報記録層２４の間に積層されており、これらの間を離間させる機能を有する。Ｌ２スペーサー層３２の光入射面３８Ａ側表面には、グルーブ（ランド）、ピット列等が形成される。なお、Ｌ２スペーサー層３２の厚みは２１μｍに設定される。
【００４５】
Ｌ２情報記録層２４は、基板側から順に、膜厚１４ｎｍのＴｉＯ２層、膜厚３８ｎｍのＢｉ−Ｇｅ−Ｏ層（Ｂｉ：Ｇｅ：Ｏモル比＝２５：７：６８）、膜厚１４ｎｍのＴｉＯ２層から構成される。
【００４６】
Ｌ３スペーサー層３４は、Ｌ２情報記録層２４とＬ３情報記録層２６の間に積層されており、これらの間を離間させる機能を有する。Ｌ３スペーサー層３４の光入射面３８Ａ側表面には、グルーブ（ランド）、ピット列等が形成される。なお、Ｌ３スペーサー層３４の厚みは１３μｍに設定される。
【００４７】
Ｌ３情報記録層２６は、基板側から順に、膜厚１５ｎｍのＴｉＯ２層、膜厚４０ｎｍのＢｉ−Ｇｅ−Ｏ層（Ｂｉ：Ｇｅ：Ｏモル比＝２２：１０：６８）、膜厚１５ｎｍのＴｉＯ２層から構成される。
【００４８】
ハードコート層３８を含んだカバー層３６の厚みは５０μｍに設定されている。この結果、この多層光記録媒体１では、Ｌ０情報記録層２０は光入射面３Ａから１１０μｍの位置に配置され、その他のＬ１〜Ｌ３情報記録層２２、２４、２６が光入射面３８Ａから１１０μｍ未満に配置される。
【００４９】
各基板１０及びＬ１〜Ｌ３スペーサー層３０、３２、３４に形成されるグルーブは、データ記録時におけるレーザー光Ｚのガイドトラックとしての役割を果たし、このグルーブに沿って進行するレーザー光Ｚのエネルギー強度が変調される事によって、グルーブ上の各情報記録層２０、２２、２４、２６に記録マークが形成される。また、グルーブは媒体側アドレスを特定する役割を果たしており、トラッキング信号から特定の個所の媒体側アドレスを取得できるようになっている。
【００５０】
また、ディスクインフォメーション領域は、グルーブに形成されたウォブル変調信号等によって、各情報記録層のディスクインフォメーション信号を有することができる。例えば、このディスクインフォメーション信号には、情報記録層の数、各情報記録層の記録条件、記録ストラテジー、球面収差の補正量などが含まれる。また、このディスクインフォメーション領域には、情報記録層の層位置を判別したときに、その情報記録層の層位置に関する情報を記録するための記録領域も設けられている。
【００５１】
図４に示されるように、この多層光記録媒体１は、マスタスタンパＡ、マスタスタンパＢ、マスタスタンパＣから作成された各スタンパを用いて媒体側アドレスが形成される。マスタスタンパＡは、媒体側アドレス情報として、例えば、割り当て範囲が１〜１００００であって、グルーブのスパイラル方向は内側から外側に向かうようになっている。マスタスタンパＢは、媒体側アドレス情報として、例えば、割り当て範囲が１０００１〜２００００であって、グルーブのスパイラル方向は外側から内側に向かうようになっている。マスタスタンパＣは、媒体側アドレス情報として、例えば割り当て範囲が２０００１〜３００００であって、グルーブのスパイラル方向は内側から外側に向かうようになっている。なお、ここで言う「媒体側アドレス情報」とは、アドレスの割り当て範囲とスパイラル方向の双方によって決定されるものである。従って、「媒体側アドレス情報が一致」とは、アドレスの割り当て範囲とスパイラル方向の両者が共に一致している場合を意味し、結局、マスタスタンパを共有できる関係となる。一方、「媒体側アドレス情報が不一致（異なる）」とは、アドレスの割り当て範囲か、スパイラル方向の少なくとも一方が異なる場合を意味しており、マスタスタンパを共有できない関係となる。
【００５２】
なお本実施形態において、基板１０に実際にグルーブを転写させるスタンパは、マスタスタンパから作成される金属製のマザースタンパである。また、各スペーサー層３０、３２、３４にグルーブを転写させるスタンパは、マスタスタンパから作成されたチャイルドスタンパを利用して成形される透明樹脂製スタンパである。
【００５３】
基板１０は、マスタスタンパＡから作成されるスタンパを用いて製造される。結果、Ｌ０情報記録層２０は、媒体側アドレス情報として、割り当て範囲が１〜１００００、スパイラル方向は内側から外側に設定される。Ｌ１スペーサー層３０は、マスタスタンパＢから作成されるスタンパを用いて製造される。結果、Ｌ１情報記録層２２は、媒体側アドレス情報として、割り当て範囲が１０００１〜２００００、スパイラル方向は外側から内側に設定される。Ｌ２スペーサー層３２は、マスタスタンパＣから作成されるスタンパを用いて製造される。結果、Ｌ２情報記録層２４は、媒体側アドレス情報として、割り当て範囲が２０００１〜３００００、スパイラル方向は内側から外側に設定される。Ｌ３スペーサー層３４は、基板１０と同じマスタスタンパＡから作成されるスタンパを用いて製造される。結果、Ｌ３情報記録層２６は、媒体側アドレス情報として、割り当て範囲が１〜１００００、スパイラル方向は内側から外側に設定される。
【００５４】
従って、この多層光記録媒体１は、Ｌ０〜Ｌ３情報記録層２０、２２、２４、２６のうち、Ｌ０情報記録層２０とＬ３情報記録層２６の２層について「媒体側アドレス情報が一致」している。更に、共通のマスタスタンパＡで形成されるＬ０情報記録層２０とＬ３情報記録層２６の間には、「媒体側アドレス情報の異なる」マスタスタンパＢ、Ｃで形成されるＬ１、Ｌ２情報記録層２２、２４が介在するようになっている。
【００５５】
次に、図５のフローチャートを参照して、光記録再生システム１００を用いて多層光記録媒体１に情報を記録・再生する方法について説明する。
【００５６】
例えば、Ｌ３情報記録層２６の媒体側アドレス９００に情報を記録する場合を考える。先ず、ステップ１０００において、記録準備を行う。具体的には、スピンドルモータ１１２によって多層光記録媒体１を所定の線速で回転させ、更に、フォーカスコントローラ１１３及びトラッキングコントローラ１１５によって、レーザー光Ｚの焦点をＬ３情報記録層２６の媒体側アドレス９００に移動させる。
【００５７】
その後、ステップ１０１０において、層位置判定部１１１は、現在、フォーカスしている情報記録層がＬ０〜Ｌ３情報記録層２０、２２、２４、２６のどれに該当するかを判定する。ここでは具体的に、トラッキング信号や、ピックアップの移動方向から判断できるスパイラル方向と、情報処理装置１１６から得られる媒体側アドレス情報に基づいて、レーザー光ＺがＬ３情報記録層２６にフォーカスできているか否かを判定する。具体的に、スパイラル方向が、外周から内周側に向かっていたり、媒体側アドレスが１〜１００００以外の範囲となる場合は、Ｌ３情報記録層２６ではないので、エラー判定となる。なお、スパイラル方向は、トラッキングコントローラ１１５の制御値から取得することができる。また、媒体側アドレス情報については信号処理装置１１６から取得することができる。
【００５８】
なお、多層光記録媒体１における各情報記録層の位置は、その規格・仕様に基づいて、光記録再生システム１００側でも予め予測することができる。原則として、規格・仕様に基づいてフォーカスすれば、Ｌ３情報記録層２６に性格にフォーカスできるはずであるが、本実施形態のように多層光記録媒体１の多層化が進展すると、層間距離が短かくなるため、フォーカスエラーによって隣接する他の情報記録層（ここではＬ２情報記録層２４）にフォーカスしてしまう場合も考えられる。従って、層位置判定部１１１によって、スパイラル方向又は媒体側アドレス情報の相違を利用して、フォーカスしている情報記録層の層位置を判断することで、誤った場所に情報を書き込んでしまう事態を回避する。
【００５９】
このステップ１０１０で、正しい情報記録層にフォーカスできていると判断された場合は、ステップ１０２０に進んで、実際の情報をＬ３情報記録層２６の媒体側アドレス９００に書き込むようにする。この場合、情報側のアドレス情報は、この媒体側アドレス９００と一致しないようにする。記録完了後は、ステップ１０３０に進んで、Ｌ３情報記録層２６の最内周又は最外周等に確保されているディスクインフォメーション領域に、この記録履歴を書き込んで、記録作業を終了させる。一方、ステップ１０１０で、正しい情報記録層にフォーカスできていないと判断された場合には、ステップ１０４０に進んで、正しい方向にフォーカスを移動させてから、ステップ１０１０に戻って、フォーカスしている情報記録層の層位置を再び判断する。このステップ１０４０とステップ１０１０を何度か繰り返しても、エラーが解消できない場合は、ステップ１０５０に進んで強制終了する。
【００６０】
本第１実施形態の多層光記録媒体１及び光記録再生方法では、多層光記録媒体１が４層構造であるにも関わらず、Ｌ０情報記録層２０とＬ３情報記録層２６の媒体側アドレス情報を一致させることで、３種類のマスタスタンパＡ、Ｂ、Ｃで製造することが可能となっている。この結果、製造コストを低減させることが可能となる。また、マスタスタンパの種類が減少することで、スタンパの管理が容易化され、誤ったスタンパを用いるような製造ミスを減少させることも可能になる。
【００６１】
また、本多層光記録媒体１では、媒体側アドレスを一致させたＬ０情報記録層２０とＬ３情報記録層２６の間に、媒体側アドレス情報の違う２層の情報記録層２２、２４を介在させている。この結果、Ｌ０情報記録層２０とＬ３情報記録層２６の距離が広がるため、記録・再生時において両者を混同する確率を低減できる。特に本第１実施形態では、念のために、記録（再生）作業前において層位置判定部１１１が、スパイラル方向又はアドレス割り当て範囲に基づいて、媒体側アドレス情報の相違をチェックするので、目的とする情報記録層に隣接する情報記録層に誤ってフォーカスした場合に、事前にそのミスを検出・修正することが可能となっている。
【００６２】
更に、本第１実施形態では、情報を記録する際に、情報側に保有させる情報側アドレス情報を、媒体側アドレス情報と一致させないようにしている。特に、Ｌ０情報記録層２０とＬ３情報記録層２６に記録する情報の情報側アドレス情報を異ならせて、情報側アドレスから各情報記録層を判別できるようにすることが好ましい。このようにすると、一旦記録した信号の再生時において、事前にこの情報側アドレス情報をチェックすることで、誤った情報を再生することを防止できる。
【００６３】
次に、第２実施形態に係る多層光記録媒体の光記録再生方法について図６のフローチャートを参照して説明する。なお、この光記録再生方法で用いられる多層光記録媒体及び光記録再生システムは、第１実施形態と同じであるので、同光記録再生システム１００をそのまま用いて説明することで、部品・部材・構造等の説明を省略する。また、第２実施形態の多層光記録媒体２０１は、Ｌ０〜Ｌ３情報記録層２２０、２２２、２２４、２２６の光反射率が互いに異なるように設定されていることを除いて、基本構造は第１実施形態の多層光記録媒体１と同様であるので、部品・部材に付する符号の下二桁を一致させることで、図示及び詳細説明を省略する。
【００６４】
多層光記録媒体２０１において、Ｌ３情報記録層２２６の媒体側アドレス９００の場所に情報を記録する場合を考える。先ず、ステップ２０００において、記録開始準備を行う。具体的には、スピンドルモータ１１２によって多層光記録媒体２０１を所定の線速で回転させ、更に、フォーカスコントローラ１１３及びトラッキングコントローラ１１５によって、レーザー光Ｚの焦点をＬ３情報記録層２２６の媒体側アドレス９００に移動させる。その後、ステップ２０１０において、層位置判定部１１１は、現在、フォーカスしている情報記録層がＬ０〜Ｌ３情報記録層２２０、２２２、２２４、２２６のどれに該当するかを判定する。ここでは具体的に、予めＢＣＡ領域（Burst Cutting Area）やディスクインフォメーション領域に記録されている各情報記録層の光反射率情報を読みだしておく。また、実際の光検出装置１０８の出力レベルを利用して、フォーカス中の情報記録層の光反射率を算出する。この光反射率と、多層光記録媒体２０１に書き込まれている光反射率情報を比較して、最も近い反射率情報となる情報記録層が、現在、フォーカス中の情報記録層と判定する。
【００６５】
このステップ２０１０で、正しい情報記録層にフォーカスできていると判断された場合は、ステップ２０２０に進んで、実際の情報をＬ３情報記録層２２６の媒体側アドレス９００に書き込むようにする。記録完了後は、ステップ２０３０に進んで、Ｌ３情報記録層２２６の最内周又は最外周等に確保されているディスクインフォメーション領域に、この記録履歴を書き込んで記録作業を終了させる。一方、ステップ２０１０で、正しい情報記録層にフォーカスできていないと判断された場合には、ステップ２０４０に進んで、フォーカスを他の情報記録層に移動させてから、ステップ２０１０に戻って、フォーカスしている情報記録層の層位置を光反射率に基づいて再び判断する。このステップ２０４０とステップ２０１０を何度か繰り返しても、エラーが解消できない場合は、ステップ２０５０に進んで強制終了する。
【００６６】
この第２実施形態によれば、多層光記録媒体２０１における複数の情報記録層の媒体側アドレス情報を一致させても、その光反射率の違いから、フォーカス中の情報記録層を特定することができる。従って、マスタスタンパ数の減少により、多層光記録媒体２０１の製造コストを低減させることを可能にしながらも、情報記録層の特定ミスによる記録・再生エラーを回避できる。なお、本第２実施形態では、各情報記録層２２０、２２２、２２４、２２６の全域の光反射率が、情報記録層間で相互に異なるので、場所を問わずどこでも情報記録層を判別できるという利点もある。しかし、本発明はそれに限定されず、例えば、各情報記録層２２０、２２２、２２４、２２６の一部に、層位置を判断する為の専用の判別領域を確保しておき、この判別領域の反射率だけを層毎に変化させるようにしても良い。このようにすると、各情報記録層２２０、２２２、２２４、２２６自体の光反射率を互いに異ならせることなくなるので、設計の自由度が増し、製造コストを更に低減させることが可能になる。また、この判別領域の光反射率を変化させることなく、この判別領域に層位置の判別するための識別信号を記録しておくことも好ましい。なお、この識別信号は、各情報記録層で固有となる信号であれば良く、ＢＣＡのようなバーコードパターンや、通常のデータ記録用信号で用いる復調信号だけに限られない。例えば、各情報記録層によって、信号の周波数や変調度を変えることによっても判断可能である。また、全ての情報記録層に識別信号を記録する必要はなく、媒体アドレス情報が一致する情報記録層に対する記録の有無によって、層位置を判別できるようにしても良い。
【００６７】
このように、各情報記録層２２０、２２２、２２４、２２６の一部または全部に判別領域を用意しておき、情報の記録・再生前に、光記録再生システム１００がこの判別領域にレーザー光Ｚを照射することで、その光反射特性の違いから情報記録層の層位置を判別できるようにすると、多層光記録媒体２０１における複数の情報記録層の媒体側アドレス情報を一致させることが可能となるので、多層光記録媒体１の製造コストを大幅に低減することができる。なお、ここでいう「光反射特性」は、各情報記録層２２０、２２２、２２４、２２６単独の光反射特性に限られず、隣接する情報記録層からの反射光や迷光、スペーサー層の影響等を全て考慮した場合の光反射特性を含む。要は、光記録再生システム１００が、その反射光の特性の違いから多層光記録媒体１の情報記録層を同定可能な状態であれば良い。なお、ここでいう迷光とは、再生又は記録する情報記録層以外の情報記録層から反射される光を指している。
【００６８】
次に、第３実施形態に係る多層光記録媒体の光記録再生方法について説明する。なお、多層光記録媒体における情報記録層の判別方法を除き、この光記録再生方法で用いられる多層光記録媒体及び光記録再生システムは、第１実施形態と殆ど同じであるので、同多層光記録媒体１及び光記録再生システム１００をそのまま用いて説明することで部品・部材・構造等の説明を省略し、異なる部分について説明する。
【００６９】
本第３実施形態では、光記録再生システム１００における光検出装置１０８として、多数のフォトディテクタがマトリクス状に敷き詰められたＣＣＤ素子を用いる。従って、Ｌ０〜Ｌ３情報記録層２０、２２、２４、２６からの反射光を広範囲で検出することが可能となっている。また、このＣＣＤ素子の中心部分で検出された信号は、ＰＲＭＬ処理装置１１０、フォーカスコントローラ１１３、トラッキングコントローラ１１５等に出力されて、通常の制御に用いる。一方、ＣＣＤ素子の全体で検出された広範囲の画像信号は、層位置判定部１１１に出力されて、情報記録層の判別に利用される。
【００７０】
具体的には、図７に示されるように、光検出装置１０８によって検出される反射光の画像信号は、大きさや変形方向の異なる多数の楕円光や双曲線光を含む迷光パターンとなる。この迷光パターンの相違は、デフォーカス、オーバーフォーカスによって迷光成分の光が広がる方向が異なることと、再生したい情報記録層と迷光成分を生じさせる情報記録層の距離によって楕円光や双曲線光のサイズが変わることに起因している。例えば、Ｌ０情報記録層２０の迷光パターンは、図７（Ａ）に示されるように、図左上から図右下に広がる多数の楕円の環状光の集合パターンとなる。Ｌ１情報記録層２２の迷光パターンは、図７（Ｂ）に示されるように、図左上から図右下に広がる多数の楕円の環状光の集合と、多数の真円の環状光の集合が重なったパターンとなる。Ｌ２情報記録層２４の迷光パターンは、図７（Ｃ）示されるように、図左上から図右下に広がる楕円形に広がる光と、その外側にぼやけて広がる真円の環状光と、上下左右に広がる双曲線状の光が重なったパターンとなる。Ｌ３情報記録層２６は、図右上から図左下に広がる楕円形に広がる光と、その外周に形成される真円の環状光と、その外側に図左上から図右下に広がる多数の楕円の環状光の集合パターンとなる。このように、各情報記録層２０、２２、２４、２６は、互いに異なる迷光パターンを有しているので、層位置判定部１１１において、この迷光パターンから情報記録層の層位置を判別することが可能となる。このように、上記迷光パターンは各情報記録層において固有となる。このため、情報記録層の識別には、迷光パターンの全域を詳細に検出して判断する場合に限られず、各情報記録層を再生する際に、迷光パターンにおける光量の変動が大きい位置に光検出器を設置すれば、この光検出器状の検出光量の変化から層位置を判別することができる。
【００７１】
本第３実施形態によれば、多層光記録媒体１における複数の情報記録層の媒体側アドレス情報を一致させても、反射光を利用した迷光パターンの違いから、フォーカス中の情報記録層を特定することができる。従って、多層光記録媒体１の製造コストを低減させることが可能にしながらも、情報記録層の特定ミスによる記録・再生エラーを回避できる。
【００７２】
次に、第４実施形態に係る多層光記録媒体の光記録再生方法について説明する。なお、多層光記録媒体における情報記録層の判別方法を除き、この光記録再生方法で用いられる多層光記録媒体及び光記録再生システムは、第１実施形態と殆ど同じであるので、同多層光記録媒体１及び光記録再生システム１００をそのまま用いて説明することで部品・部材・構造等の説明を省略し、異なる部分について説明する。
【００７３】
例えばＬ３情報記録層２６の媒体側アドレス９００に情報を記録する場合を考える。図８のフローチャートに示されるように、先ず、ステップ３０００において、記録開始準備を行う。具体的には、スピンドルモータ１１２によって多層光記録媒体１を所定の線速で回転させる。その後、ステップ３０１０において情報記録層の検出を行う。具体的には、フォーカスコントローラ１１３を用いて、レーザー光Ｚのビームスポットを、光入射面３８Ａから最も遠い位置から、目的とする情報記録層（ここではＬ３情報記録層２６）まで移動させる。例えば、光検出装置１０８の信号を得たフォーカスコントローラ１１３では、図９に示されるようなフォーカスエラー（ＦＥ）信号のＳ字曲線が得られる。基準レベルＫを、Ｓ字曲線が出力電圧の高い側から低い側に横切る通過点Ｐ（Ｌ０）、Ｐ（Ｌ１）、Ｐ（Ｌ２）、Ｐ（Ｌ３）は、情報記録層２０、２２、２４、２６を通過したタイミングを意味している。従って、層位置判定部１１１では、この通過点の数をカウントすることで層位置を判断し、４回目のカウントを得た時点でフォーカスの移動を止めるようにする。この結果、フォーカスをＬ３情報記録層２６に確実に合わせることができる。
【００７４】
その後、ステップ３０２０において、トラッキングコントローラ１１５を用いてＬ３情報記録層２６の媒体側アドレス９００の地点にフォーカスを移動させて、実際の情報をＬ３情報記録層２６の媒体側アドレス９００に書き込むようにする。記録完了後は、ステップ３０３０に進んで、Ｌ３情報記録層２６の最内周又は最外周等に確保されているディスクインフォメーション領域に、この記録履歴を書き込んで記録作業を終了させる。
【００７５】
この第４実施形態では、媒体側アドレスに依存することなく、全ての情報記録層２０、２２、２４、２６の位置を確実に判別することができる。また、各情報記録層２０、２２、２４、２６に層位置を判断する識別信号等を記録する必要もないため、多層光記録媒体１の設計の自由度を高めることが可能となる。従って、多層光記録媒体１における複数の情報記録層の媒体側アドレス情報を一致させることも可能となり、製造コストを低減させることが可能になる。なお、ここではＬ０情報記録層２０側からフォーカスを移動させ、横切った情報記録層の数に基づいて層位置を判別する場合を示したが、光入射面３８Ａ側からフォーカスを移動させて、横切った情報記録層の数に基づいて層位置を判別するようにしても良い。
【００７６】
次に、第５実施形態に係る多層光記録媒体の光記録再生方法について説明する。なお、多層光記録媒体における情報記録層の判別方法を除き、この光記録再生方法で用いられる多層光記録媒体及び光記録再生システムは、第１実施形態と殆ど同じであるので、同多層光記録媒体１及び光記録再生システム１００をそのまま用いて説明することで部品・部材・構造等の説明を省略し、異なる部分について説明する。
【００７７】
多層光記録媒体１の各情報記録層２０、２２、２４、２６は、光入射面３８Ａからの距離が互いに異なることから、球面収差の大きさが異なる。従って、光記録再生システム１００では、フォーカスコントローラ１１３を用いて光学機構１０６に対してオフセット補正を行って、各情報記録層２０、２２、２４、２６にレーザースポットの焦点を合わせる必要がある。この補正量は、図１０に示されるように、情報記録層２０、２２、２４、２６の光入射面３８Ａからの距離が遠い程大きくなる。この補正量は、予め光記録再生システム１００側に設定されているか、又は、多層光記録媒体１のディスクインフォメーション領域等に記録されている。
【００７８】
Ｌ３情報記録層２６の媒体側アドレス９００に情報を記録する場合、図１１のフローチャートに示される様に、先ず、ステップ４０００において記録準備を行う。具体的には、スピンドルモータ１１２によって多層光記録媒体１を所定の線速で回転させ、更に、フォーカスコントローラ１１３及びトラッキングコントローラ１１５によって、レーザー光Ｚの焦点をＬ３情報記録層２６の媒体側アドレス９００に移動させる。この際、球面収差補正の補正量を適宜設定して、フォーカスを掛けることになる。具体的には、フォーカスコントローラ１１３が予め想定した球面収差の補正量を用いてフォーカスを掛け、トラッキングを掛けない状態でのトラッキングエラー信号の振幅量が所定の大きさに達していない場合は、球面収差補正の補正量を調整する。これを繰り返して、トラッキングエラー信号の振幅量が所定の大きさを満たすまで球面収差補正量の調整を繰り返していく。
【００７９】
その後、ステップ４０１０において、層位置判定部１１１は、現在、フォーカスしている情報記録層がＬ０〜Ｌ３情報記録層２０、２２、２４、２６のどれに該当するかを、球面収差の補正量から判定（確認）する。つまり、トラッキングエラーが所定振幅量を満たした状態における、フォーカスコントローラ１１３によって実行されている球面収差の補正量の制御値が仮に２８である場合は、図１０の判定テーブルから、現在、Ｌ３情報記録層２６にフォーカスしていることを判別することができる。
【００８０】
このステップ４０１０で、正しい情報記録層にフォーカスできていることが確認できた場合は、ステップ４０２０に進んで、実際の情報をＬ３情報記録層２６の媒体側アドレス９００に書き込む。記録完了後は、ステップ４０３０に進んで、Ｌ３情報記録層２６の最内周又は最外周等に確保されているディスクインフォメーション領域に、この記録履歴を書き込んで記録作業を終了させる。なお、フォーカスを掛ける際に、トラッキングエラー信号の振幅を利用して球面収差の補正量を制御できる理由は、各情報記録層において球面収差補正量が合わないと、この情報記録層におけるビームスポットが広がってしまうために、トラッキングエラー信号が検出できなくなる（見えなくなる）からである。しかし、球面収差の補正量の調整方法は、この場合に限られず、他の方法でも調整することができる。例えば、ＳＵＭ信号や、記録された再生信号を用いても球面収差を補正することが可能である。ＳＵＭ信号の場合は、球面収差の補正量を最適化することで光量が増大する性質を利用して調整できる。記録された再生信号を用いる場合は、球面収差の補正量を最適化することで、Ｊｉｔｔｅｒやエラーなどの再生特性が改善される性質を利用して調整できる。
【００８１】
この第５実施形態によれば、多層光記録媒体１における複数の情報記録層の媒体側アドレス情報を一致させた場合においても、光記録再生システム１００の制御信号の一つである球面収差の補正量から、情報記録層の層位置を事後的に確認することができる。なお、ここでは球面収差の補正量を利用する場合を示したが、本発明はそれに限定されず、情報記録層の層位置に依存するような光ピックアップの制御信号であれば、情報記録層の層位置を事後的に確認する情報として利用することができる。
【００８２】
また、この第５実施形態では、光ピックアップのフォーカス制御値に基づいて、情報記録層の層位置を同定する場合を示したが、その外にも、情報記録層に対して情報を記録する際の記録条件に基づいて、情報記録層の層位置を同定することが可能である。例えば、媒体側アドレス情報が一致する複数の情報記録層であって、一方の情報記録層の最適記録パワーと、他方の情報記録層の最適記録パワーが異なる場合は、この記録パワー条件の違いによって層位置を判別することが可能である。同様に、一方の情報記録層の最適記録ストラテジと、他方の情報記録層の最適記録ストラテジが異なる場合は、この記録ストラテジの違いによって層位置を判別することが可能である。この場合、媒体側アドレスが一致する複数の情報記録層において、互いに、記録特性が異なるように材質や膜厚を決定する必要がある。
【００８３】
次に、図１２を参照して、本発明の第６実施形態の多層光記録媒体３０１について説明する。なお、後述するスペーサー層の構成を除いて、この多層光記録媒体２は第１実施形態の多層光記録媒体１と同じ構成であることから、第６実施形態の多層光記録媒体３０１の各部分・部材に付す符号の下二桁を、これに対応する第１実施形態の多層光記録媒体１と一致させることで、各部分・部材の説明・図示を省略する。
【００８４】
この多層光記録媒体３０１は、マスタスタンパＡ、マスタスタンパＢを用いて製造される。マスタスタンパＡは、第１媒体側アドレス情報として、割り当て範囲が１〜１００００であって、グルーブのスパイラル方向は内側から外側に向かうようになっている。マスタスタンパＢは、第２媒体側アドレス情報として、割り当て範囲が１０００１〜２００００であって、グルーブのスパイラル方向は外側から内側に向かうようになっている。
【００８５】
具体的に、基板３１０とＬ２スペーサー層３３２は、マスタスタンパＡから作成されるスタンパを用いて製造される。結果、Ｌ０情報記録層３２０及びＬ２情報記録層３２４は、媒体側アドレス情報として、割り当て範囲が１〜１００００、スパイラル方向は内側から外側に設定される。一方、Ｌ１スペーサー層３３０及びＬ３スペーサー層３３４は、マスタスタンパＢから作成されるスタンパを用いて製造される。結果、Ｌ１情報記録層３２２及びＬ３情報記録層３２６は、媒体側アドレス情報として、割り当て範囲が１０００１〜２００００、スパイラル方向は外側から内側に設定される。
【００８６】
従って、第１情報記録層群となるＬ０情報記録層３２０及びＬ２情報記録層３２４は、マスタスタンパＡによる第１媒体側アドレス情報を共通して有し、第２情報記録層群となるＬ１情報記録層３２２及びＬ３情報記録層３２６は、マスタスタンパＢによる第２媒体側アドレス情報を共通して有することになる。また、この第１情報記録層群と第２情報記録層群の情報記録層は、交互に積層されるようになっている。なお、この多層光記録媒体３０１は、第１実施形態で示した光記録再生システム１００によって記録・再生することが可能である。
【００８７】
本第６実施形態に係る多層光記録媒体３０１は、４層構造であるにも関わらず、Ｌ０情報記録層３２０とＬ２情報記録層３２４の媒体側アドレス情報をマスタスタンパＡを用いて一致させると共に、Ｌ１情報記録層３２２とＬ３情報記録層３２６の媒体側アドレス情報をマスタスタンパＢを用いて一致させている。従って、２種類のマスタスタンパＡ、Ｂで製造することが可能となり、製造コストを大幅に低減させることが可能となる。また、スタンパの種類が減少することで、スタンパの管理が容易化され、誤ったスタンパを用いるような製造ミスを減少させることも可能になる。
【００８８】
また、本多層光記録媒体３０１では、マスタスタンパＡから作成されるスタンパを用いて形成された第１情報記録層群（Ｌ０、Ｌ２情報記録層３２０、３２４）と、マスタスタンパＢから作成されるスタンパを用いて形成された第２情報記録層群（Ｌ１、Ｌ３情報記録層３２２、３２６）とを、交互に積層するようにしている。この結果、媒体側アドレス情報が一致する情報記録層間の距離が広がるため、記録・再生時において両者を混同する確率を低減できる。既に第１実施形態で述べたように、記録（再生）作業前において層位置判定部１１１が、このスパイラル方向又はアドレスの割り当て範囲によって媒体側アドレス情報の相違をチェックするので、目的とする情報記録層に隣接する情報記録層に誤ってフォーカスした場合に、第１情報記録層群と第２情報記録層群を識別することが可能となり、事前にそのミスを検出・修正することが可能となっている。
【００８９】
以上、本実施形態では、多層光記録媒体における情報記録層が４層構造である場合に限って示したが、本発明はそれに限定されず、２層以上であれば４層以外でもよい。また、情報記録層が追記型となる場合に限って示したが、本発明はそれに限定されず、相変化材料を用いた書換型や、他の情報保持形態であっても構わない。
【００９０】
また、本実施形態では、多層光記録媒体を製造する際に、少なくとも２種類のマスタスタンパを用いる場合に限って示したが、本発明はそれに限定されない。例えば、多層光記録媒体の全情報記録層のアドレスを一致させることで、１種類のマスタスタンパによって多層光記録媒体を製造する場合も含むものである。
【００９１】
また、光入射面から各情報記録層までの距離や、各情報記録層の材料構成や膜厚に関しても、本実施例に限定されるものではない。例えば、本実施形態では全ての情報記録層の光入射面から１１０μｍ以内に積層される場合に限って示したが、本発明はそれに限定されず、多層化する際には、一部又は全部の情報記録層が１１０μｍ以上の場所に積層されるようにしても良い。
【００９２】
尚、本発明の光記録再生方法、光記録再生システムに関しても、上記した実施の形態に限定されるものではなく、本発明の要旨を逸脱しない範囲内において種々変更を加え得ることは勿論である。
【産業上の利用可能性】
【００９３】
本発明は、各種多層光記録媒体の記録再生に幅広く適用することが可能である。
【図面の簡単な説明】
【００９４】
【図１】本発明の第１実施形態に係る光記録再生システムのシステム構成を示すブロック図
【図２】同光記録再生システムで再生される多層光記録媒体を示す斜視図、及び拡大断面図
【図３】同多層光記録媒体の情報記録層を更に拡大して示す拡大断面図
【図４】同多層光記録媒体の製造方法及び製造時に用いるマスタスタンパ仕様を説明する図
【図５】同光記録再生システムによる光記録再生方法を示すフローチャート図
【図６】本発明の第２実施形態に係る光記録再生システムによる光記録再生方法を示すフローチャート図
【図７】本発明の第３実施形態に係る光記録再生方法で用いる迷光パターンを例示する図
【図８】本発明の第４実施形態に係る光記録再生システムによる光記録再生方法を示すフローチャート図
【図９】同光記録再生方法で用いるフォーカスエラー信号のＳ字曲線例を示すグラフ図
【図１０】本発明の第５実施形態に係る光記録再生方法で用いる球面収差補正量を例示する表図
【図１１】同光記録再生方法を示すフローチャート図
【図１２】本発明の第６実施形態に係る多層光記録媒体の製造方法及び製造時に用いるマスタスタンパ仕様を説明する図
【符号の説明】
【００９５】
１、２０１、３０１    ・・・        多層光記録媒体
１０、２１０、３１０・・・        基板
２０、２２０、３２０    ・・・        Ｌ０情報記録層
２２、２２２、３２２・・・        Ｌ１情報記録層
２４、２２４、３２４・・・        Ｌ２情報記録層
２６、２２６、３２６・・・        Ｌ３情報記録層
３０、２３０、３３０・・・        Ｌ１スペーサー層
３２、２３２、３３２・・・        Ｌ２スペーサー層
３４、２３４、３３４・・・        Ｌ３スペーサー層
３６、２３６、３３６・・・        カバー層
３８、２３８、３３８・・・        ハードコート層
３８Ａ    ・・・        光入射面
１００    ・・・        光記録再生システム
１１１    ・・・        層位置判定部
【図１】
2009134784.tif 000003
【図２】
2009134784.tif 000004
【図３】
2009134784.tif 000005
【図４】
2009134784.tif 000006
【図５】
2009134784.tif 000007
【図６】
2009134784.tif 000008
【図８】
2009134784.tif 000009
【図９】
2009134784.tif 000010
【図１０】
2009134784.tif 000011
【図１１】
2009134784.tif 000012
【図１２】
2009134784.tif 000013
【図７】
2009134784.tif 000014